【手続補正書】
【提出日】平成15年7月14日(2003.7.14)
【手続補正１】
【補正対象書類名】明細書
【補正対象項目名】特許請求の範囲
【補正方法】変更
【補正の内容】
【特許請求の範囲】
【請求項１】
基板には、複数の画像信号線に供給されるシリアル−パラレル変換された画像信号をサンプリング回路駆動信号に応じてサンプリングして前記複数のデータ線に夫々供給する複数のサンプリングスイッチからなるサンプリング回路と、
該サンプリング回路に対して前記サンプリング回路駆動信号を供給するデータ線駆動回路とを備えており、
前記データ線駆動回路は、前記複数のサンプリングスイッチの配列に対して所定方向に前記サンプリング回路駆動信号を順次出力する第１シフトレジスタと、前記複数のサンプリングスイッチの配列に対して前記所定方向と逆方向に前記サンプリング回路駆動信号を順次出力する第２シフトレジスタとを含み、
前記複数のサンプリングスイッチは、前記第１シフトレジスタから供給されるサンプリング回路駆動信号により駆動される第１グループと、前記第２シフトレジスタから供給されるサンプリング回路駆動信号により駆動される第２グループとに分かれており、前記第１グループに含まれる各サンプリングスイッチの出力端子と前記第２グループに含まれる各サンプリングスイッチの出力端子とは、前記複数のデータ線の各々に対して並列接続されていることを特徴とする電気光学装置の駆動回路。
【請求項２】
一対の基板間に電気光学物質が挟持されてなり該基板上に相交差する複数のデータ線及び複数の走査線を備えた電気光学装置を駆動するための電気光学装置の駆動回路であって、
複数の画像信号線に供給されるシリアル−パラレル変換された画像信号をサンプリング回路駆動信号に応じてサンプリングして前記複数のデータ線に夫々供給する複数のサンプリングスイッチからなるサンプリング回路と、
該サンプリング回路に対して前記サンプリング回路駆動信号を供給するデータ線駆動回路とを備えており、
前記データ線駆動回路は、前記複数のサンプリングスイッチの配列に対して所定方向に前記サンプリング回路駆動信号を順次出力する第１シフトレジスタと、前記複数のサンプリングスイッチの配列に対して前記所定方向と逆方向に前記サンプリング回路駆動信号を順次出力する第２シフトレジスタとを含み、
前記複数のサンプリングスイッチは、前記第１シフトレジスタから供給されるサンプリング回路駆動信号により駆動される第１グループと、前記第２シフトレジスタから供給されるサンプリング回路駆動信号により駆動される第２グループとに分かれており、前記第１グループに含まれる各サンプリングスイッチの出力端子と前記第２グループに含まれる各サンプリングスイッチの出力端子とは、前記複数のデータ線の各々に対して並列接続されていることを特徴とする電気光学装置の駆動回路。
【請求項３】
前記第１グループにおける前記所定方向にｉ（但し、ｉは自然数）番目のサンプリングスイッチと、前記第２グループにおける前記逆方向にｉ番目のサンプリングスイッチとは、同一の画像信号線に接続されていることを特徴とする請求項１又は請求項２に記載の電気光学装置の駆動回路。
【請求項４】
前記第１グループに属するサンプリングスイッチと前記第２グループに属するサンプリングスイッチとは、前記所定方向に沿って交互に配置されており、前記第１及び第２グループに夫々属すると共に相隣接する一対のサンプリングスイッチは、同一のデータ線に接続されていることを特徴とする請求項１から請求項３のいずれか一項に記載の電気光学装置の駆動回路。
【請求項５】
前記画像信号線はｎ本（ｎは自然数）からなり、前記第１グループのうちの隣接するｎ個に接続される前記ｎ本の画像信号線の順番と、前記第２グループのうちの隣接するｎ個に接続される前記ｎ本の画像信号線の順番とは、左右右称となっていることを特徴とする請求項１から請求項４のいずれか一項に記載の電気光学装置。
【請求項６】
前記第１シフトレジスタからサンプリング回路駆動信号を供給する１つのサンプリング回路駆動信号線は、前記第１グループの隣接するｎ個のサンプリングスイッチに並列接続されてなり、前記第２シフトレジスタからサンプリング回路駆動信号を供給する１つのサンプリング回路駆動信号線は、前記第２グループの隣接するｎ個のサンプリングスイッチに並列接続されてなることを特徴とする請求項５に記載の電気光学装置。
【請求項７】
前記基板上に形成されていることを特徴とする請求項１から６のいずれか一項に記載の電気光学装置の駆動回路。
【請求項８】
前記第１及び第２シフトレジスタは、選択信号に応じて一方が選択的に動作することを特徴とする請求項１から請求項７のいずれか一項に記載の電気光学装置の駆動回路。
【請求項９】
前記第１及び第２シフトレジスタには、前記サンプリング回路駆動信号の生成タイミングの基準となる個別のクロック信号が夫々供給されることを特徴とする請求項１から請求項８のいずれか一項に記載の電気光学装置の駆動回路。
【請求項１０】
前記第１及び第２シフトレジスタには、前記サンプリング回路駆動信号の生成タイミングの基準となる共通のクロック信号が共に供給されることを特徴とする請求項１から請求項８のいずれか一項に記載の電気光学装置の駆動回路。
【請求項１１】
前記複数の走査線に対して走査信号を供給する走査線駆動回路をさらに備えており、前記走査線駆動回路は、前記複数の走査線に対して前記走査信号を順次出力する第３シフトレジスタと、該第３シフトレジスタから前記走査信号が順次出力される方向と逆方向に前記走査信号を順次出力する第４シフトレジスタとを含むことを特徴とする請求項１から請求項１０のいずれか一項に記載の電気光学装置の駆動回路。
【請求項１２】
前記基板上には中央部に画像表示領域を有し、前記基板上の周辺の一方側に前記データ線駆動回路の第１及び第２シフトレジスタが配置されてなることを特徴とする請求項１から請求項１１のいずれか一項に記載の電気光学装置の駆動回路。
【請求項１３】
前記基板上の中央部に画像表示領域を有し、前記データ線駆動回路及び前記サンプリング回路は、一部が前記基板上において前記画像表示領域の一方の周辺領域に設けられており、他部が前記基板上において前記一方の周辺領域に対し前記画像表示領域を挟んで対向する他方の周辺領域に設けられていること特徴とする請求項１から請求項１１のいずれか一項に記載の電気光学装置の駆動回路。
【請求項１４】
前記基板上の中央部に画像表示領域を有し、前記走査線駆動回路は、一部が前記基板上において前記画像表示領域の一方の周辺領域に設けられており、他部が前記基板上において前記一方の周辺領域に対し前記画像表示領域を挟んで対向する他方の周辺領域に設けられていることを特徴とする請求項１から１１のいずれか一項に記載の電気光学装置の駆動回路。
【請求項１５】
請求項１から１４のいずれか一項に記載の電気光学装置の駆動回路を内蔵することを特徴とする電気光学装置。
【請求項１６】
前記基板上に、マトリクス状に配置された複数の画素電極と、前記複数の走査線及び前記複数のデータ線に夫々電気的に接続されており前記複数の画素電極に前記画像信号を前記走査信号に応じて選択的に夫々供給する複数の薄膜トランジスタとを備えたことを特徴とする請求項１５に記載の電気光学装置。
【請求項１７】
請求項１５または請求項１６に記載の電気光学装置を備えたことを特徴とする電子機器。
【手続補正２】
【補正対象書類名】明細書
【補正対象項目名】００４８
【補正方法】変更
【補正の内容】
【００４８】
本発明の電気光学装置の一の態様では、前記基板上に、マトリクス状に配置された複数の画素電極と、前記複数の走査線及び前記複数のデータ線に夫々電気的に接続されており前記複数の画素電極に前記画像信号を前記走査信号に応じて選択的に夫々供給する複数の薄膜トランジスタとを備える。